(57)【要約】【課題】  操作コードを同一方向に操作して遮蔽材を昇降操作可能とし、遮蔽材の引き上げ操作時には、操作コードを操作し続けることなく容易に引き上げ操作可能とした日射遮蔽装置の遮蔽材昇降装置を提供する。【解決手段】  取付面に回転可能に支持された巻取軸３から日射遮蔽材４を吊下支持し、巻取軸３の回転に基づいて日射遮蔽材４を昇降可能とし、操作コード５の操作に基づいて日射遮蔽材４を昇降する日射遮蔽装置において、巻取軸３の一端側に一本の操作コード５を垂下し、巻取軸３内には操作コード５の上下方向の往復操作に基づいて日射遮蔽材４を下降操作可能とし、操作コード５による巻取軸３の所定の操作に基づいて日射遮蔽材４を巻取軸３に自動的に巻取り可能とした昇降装置を備えた。【選択図】      図２
2007046271.tif 000002
【特許請求の範囲】
【請求項１】
取付面に回転可能に支持された巻取軸から日射遮蔽材を吊下支持し、前記巻取軸の回転に基づいて前記日射遮蔽材を昇降可能とし、操作コードの操作に基づいて前記日射遮蔽材を昇降する日射遮蔽装置において、
前記巻取軸の一端側に垂下された一本の操作コードの上下方向の往復操作に基づいて前記日射遮蔽材を下降操作し、前記操作コードによる前記巻取軸の所定の回転操作により前記日射遮蔽材を前記巻取軸に自動的に巻取ることを特徴とする日射遮蔽装置の遮蔽材昇降方法。
【請求項２】
取付面に回転可能に支持された巻取軸から日射遮蔽材を吊下支持し、前記巻取軸の回転に基づいて前記日射遮蔽材を昇降可能とし、操作コードの操作に基づいて前記日射遮蔽材を昇降する日射遮蔽装置において、
前記巻取軸の一端側に一本の操作コードを垂下し、前記巻取軸内には前記操作コードの上下方向の往復操作に基づいて前記日射遮蔽材を下降操作可能とし、前記操作コードによる前記巻取軸の所定の回転操作に基づいて前記日射遮蔽材を前記巻取軸に自動的に巻取り可能とした昇降装置を備えたことを特徴とする日射遮蔽装置の遮蔽材昇降装置。
【請求項３】
前記昇降装置は、
前記操作コードを往復操作に基づいて正逆回転する駆動筒と、
前記駆動筒の正回転のみを前記巻取軸に伝達するラチェット機構と、
前記巻取軸を日射遮蔽材の引き上げ方向に付勢する駆動スプリングと、
前記巻取軸が日射遮蔽材の下降方向に所定角度以上回転されたとき、前記駆動スプリングの付勢力による巻取軸の回転を阻止し、所定角度未満回転されたとき、前記駆動スプリングの付勢力による巻取軸の回転を許容するクラッチ装置と
を備えたことを特徴とする請求項２記載の日射遮蔽装置の遮蔽材昇降装置。
【請求項４】
前記ラチェット機構は、
前記巻取軸と一体に回転する伝達筒に設けられた第一のラチェット歯と、
前記駆動筒と一体に回転するラチェット筒に設けられた第二のラチェット歯と、
前記駆動筒の正回転に基づいて前記第一及び第二のラチェット歯を噛み合わせて、前記駆動筒の回転を前記伝達筒に伝達するカム機構と
を備えたことを特徴とする請求項３記載の日射遮蔽装置の遮蔽材昇降装置。
【請求項５】
前記駆動筒には、該駆動筒を逆回転方向に付勢する付勢手段を備えたことを特徴とする請求項３又は４記載の日射遮蔽装置の遮蔽材昇降装置。
【請求項６】
前記日射遮蔽材には、該日射遮蔽材を下降操作可能とする把持部を設けたことを特徴とする請求項５記載の日射遮蔽装置の遮蔽材昇降装置。
【発明の詳細な説明】
【技術分野】
【０００１】
この発明は、ロールブラインド、たくし上げカーテン、プリーツカーテン等の日射遮蔽装置の遮蔽材昇降装置に関するものである。
【背景技術】
【０００２】
ロールブラインドは、巻取軸からスクリーンが垂下され、その巻取軸をスクリーン巻取り方向に回転させると、スクリーンが引き上げられ、巻取軸をスクリーン巻戻し方向に回転させると、スクリーンが下降する。
【０００３】
このようなロールブラインドのスクリーン昇降装置が、特許文献１に開示されている。特許文献１に記載された昇降装置は、無端状の操作コードをスクリーン下降方向へ連続して操作すれば、スクリーンの下降操作が可能であり、操作コードをスクリーン引き上げ方向へ僅かに引けば、巻取軸内に配設される捩りコイルスプリングの付勢力を利用して、スクリーンを巻上げ可能となっている。
【０００４】
特許文献２には、横型ブラインドのスラット昇降装置が開示されている。このスラット昇降装置は、操作ワイヤーを下方へ引き出すことによりスラットを引き上げ可能とし、操作ワイヤーを斜め下方に引くことによりスラットが自重により下降する。
【特許文献１】特許第３５７０９２６号公報
【特許文献２】特公昭３６−１８８３３号公報
【発明の開示】
【発明が解決しようとする課題】
【０００５】
特許文献１に記載された昇降装置では、巻取軸の一端側から無端状の操作コードが常時垂下されるため、美観上好ましくない。また、スクリーンの引き上げ操作と下降操作とでは、操作コードを異なる方向に操作する必要があり、その操作が煩雑である。
【０００６】
特許文献２に記載された昇降装置では、スラットの引き上げ操作時には操作ワイヤーを下方へ引き出し、スラットの引き上げ操作時には操作ワイヤーを斜め下方へ引き続ける必要がある。従って、スラットの昇降操作時には操作ワイヤーを操作し続ける必要があるため、その操作が煩雑である。
【０００７】
この発明の目的は、操作コードを同一方向に操作して遮蔽材を昇降操作可能とし、遮蔽材の引き上げ操作時には、操作コードを操作し続けることなく容易に引き上げ操作可能とした日射遮蔽装置の遮蔽材昇降装置を提供することにある。
【課題を解決するための手段】
【０００８】
請求項１では、取付面に回転可能に支持された巻取軸から日射遮蔽材を吊下支持し、前記巻取軸の回転に基づいて前記日射遮蔽材を昇降可能とし、操作コードの操作に基づいて前記日射遮蔽材を昇降する日射遮蔽装置において、前記巻取軸の一端側に垂下された一本の操作コードの上下方向の往復操作に基づいて前記日射遮蔽材を下降操作し、前記操作コードによる前記巻取軸を所定角度以下の回転操作により前記日射遮蔽材を前記巻取軸に自動的に巻取る。
【０００９】
請求項２では、取付面に回転可能に支持された巻取軸から日射遮蔽材を吊下支持し、前記巻取軸の回転に基づいて前記日射遮蔽材を昇降可能とし、操作コードの操作に基づいて前記日射遮蔽材を昇降する日射遮蔽装置において、前記巻取軸の一端側に一本の操作コードを垂下し、前記巻取軸内には前記操作コードの上下方向の往復操作に基づいて前記日射遮蔽材を下降操作可能とし、前記操作コードによる前記巻取軸の所定角度以下の回転操作に基づいて前記日射遮蔽材を前記巻取軸に自動的に巻取り可能とした昇降装置を備えた。
【００１０】
請求項３では、前記昇降装置は、前記操作コードを往復操作に基づいて正逆回転する駆動筒と、前記駆動筒の正回転のみを前記巻取軸に伝達するラチェット機構と、前記巻取軸を日射遮蔽材の引き上げ方向に付勢する駆動スプリングと、前記巻取軸が日射遮蔽材の下降方向に所定角度以上回転されたとき、前記駆動スプリングの付勢力による巻取軸の回転を阻止し、所定角度未満回転されたとき、前記駆動スプリングの付勢力による巻取軸の回転を許容するクラッチ装置とを備えた。
【００１１】
請求項４では、前記ラチェット機構は、前記巻取軸と一体に回転する伝達筒に設けられた第一のラチェット歯と、前記駆動筒と一体に回転するラチェット筒に設けられた第二のラチェット歯と、前記駆動筒の正回転に基づいて前記第一及び第二のラチェット歯を噛み合わせて、前記駆動筒の回転を前記伝達筒に伝達するカム機構とを備えた。
【００１２】
請求項５では、前記駆動筒には、該駆動筒を逆回転方向に付勢する付勢手段を備えた。
請求項６では、前記日射遮蔽材には、該日射遮蔽材を下降操作可能とする把持部を設けた。
【発明の効果】
【００１３】
本発明によれば、操作コードを同一方向に操作して遮蔽材を昇降操作可能とし、遮蔽材の引き上げ操作時には、操作コードを操作し続けることなく容易に引き上げ操作可能とした日射遮蔽装置の遮蔽材昇降装置を提供することができる。
【発明を実施するための最良の形態】
【００１４】
以下、この発明を具体化した一実施の形態を図面に従って説明する。図１に示すロールブラインド（日射遮蔽装置）、取付面に固定される取付フレーム１の両端部に支持ブラケット２ａ，２ｂが取着され、その支持ブラケット２ａ，２ｂ間に巻取軸３が回転可能に支持されている。そして、巻取軸３からスクリーン（日射遮蔽材）４が垂下されている。
【００１５】
前記支持ブラケット２ａの近傍には一本の操作コード５が垂下され、その操作コード５を下方へ引くことにより巻取軸３をスクリーン下降方向へ回転操作可能となっている。前記巻取軸３内には公知の駆動コイルスプリング（図示しない）が配設される。この駆動コイルスプリングは、捩りコイルスプリングで構成され、巻取軸３のスクリーン下降方向の回転にともなって蓄勢されて、巻取軸３をスクリーン巻取り方向に付勢する。
【００１６】
図２に示すように、前記巻取軸３内には前記捩りコイルスプリングの付勢力による巻取軸の回転を制御する公知のクラッチ装置６が配設されている。このクラッチ装置６は、操作コード５の操作により、巻取軸３がスクリーン下降方向に所定角度以上回転された後に操作コード５が手放されたときには、駆動コイルスプリングの付勢力による巻取軸３の回転を阻止する。また、巻取軸３がスクリーン下降方向に所定角度未満で僅かに回転された後に、操作コード５が手放されたときには、駆動コイルスプリングの付勢力による巻取軸３の回転を許容する。
【００１７】
この実施の形態では、巻取軸３がスクリーン下降方向に１８０度以上回転されると、クラッチ装置６により駆動コイルスプリングの付勢力による巻取軸３の回転が阻止され、９０度未満では駆動コイルスプリングの付勢力による巻取軸３の回転が許容される。
【００１８】
前記スクリーン４の下端部にはボトムレール２６が取着され、そのボトムレール２６の中央部には把持部としてのプルコード２７が垂下されている。そして、プルコード２７を下方へ引くことにより、スクリーン４を下降操作可能となっている。
【００１９】
次に、前記操作コード５の操作によりスクリーン４を昇降可能とする昇降装置について説明する。
図２に示すように、一方の支持ブラケット２ａに固定軸７のフランジ状の基端部が固定され、その固定軸７は基端から先端に向かって水平方向に延びている。支持ブラケット２ａには固定軸７の基端部を介して筒状のケース８が固定される。
【００２０】
前記ケース８の外周面には軸受９ａを介して伝達筒９が回転可能に支持され、その伝達筒９に前記巻取軸３の一端部が嵌合されている。従って、伝達筒９は巻取軸３と一体に回転する。
【００２１】
前記ケース８には第一の駆動筒１０が回転可能に支持され、その第一の駆動筒１０の基端部にはプーリー部１１が一体に形成されている。プーリー部１１には前記操作コード５が巻着され、その操作コード５はケース８に設けられた案内ローラー１２を介して下方へ垂下されている。そして、操作コード５を下方へ引くと、第一の駆動筒１０が固定軸７の周囲を回転するようになっている。
【００２２】
前記第一の駆動筒１０と固定軸７との間に形成された隙間には捩りコイルスプリング（付勢手段）１３が配設され、その捩りコイルスプリング１３の一端は固定軸７に固定され、他端は第一の駆動筒１０に固定されている。そして、操作コード５を下方へ引いたとき、第一の駆動筒１０の回転にともなって捩りコイルスプリング１３が蓄勢されるようになっている。
【００２３】
また、捩りコイルスプリング１３の付勢力に基づいて第一の駆動筒１０が回転されると、操作コード５がプーリー部１１に巻き取られるようになっている。なお、操作コード５には前記案内ローラー１２に当接させて、同操作コード５のプーリー部１１への巻き取り限界を設定する係止部２５が取着される。
【００２４】
前記第一の駆動筒１０の先端部には第二の駆動筒１４の基端部が嵌着されている。第二の駆動筒１４は第一の駆動筒１０と一体に回転し、その先端部は前記固定軸７の周囲を回転するようになっている。
【００２５】
前記第二の駆動筒１４の周囲には、前記伝達筒９の外部からカム筒１５の基端部が相対回転可能に嵌挿されている。カム筒１５の先端部は伝達筒９の外部に位置し、伝達筒９の先端面と固定軸７に嵌着されたフランジ部１６とで軸方向に移動不能に支持されている。
【００２６】
また、カム筒１５の先端部と固定軸７との間には摩擦発生用の捩りコイルスプリング１７が配設される。この捩りコイルスプリング１７は、固定軸７のフランジ部１６に巻装され、その両端部がカム筒１５に支持されている。そして、カム筒１５が回転するとき、捩りコイルスプリング１３とフランジ部１６との間に摺動摩擦が発生するようになっている。
【００２７】
なお、この摺動摩擦は前記第一の駆動筒１０に作用する捩りコイルスプリング１３の付勢力より小さく設定されている。
前記カム筒１５には第一及び第二のカム溝（カム機構）１８ａ，１８ｂが形成されている。図３に示すように、第一のカム溝１８ａは第二の駆動筒１４の軸方向に対し斜め方向に形成され、第二のカム溝１８ｂは軸方向に対し直交する方向、すなわちカム筒１５の周方向に沿って形成されている。
【００２８】
前記カム筒１５の周囲にはラチェット筒（ラチェット機構）１９が相対回動可能にかつ軸方向に移動可能に嵌挿されている。前記伝達筒９の先端側内側面にはラチェット歯２０が取着され、そのラチェット歯２０に対向するラチェット歯２１がラチェット筒１９の端面に形成されている。
【００２９】
従って、ラチェット筒１９がラチェット歯２０に向かって移動すると、ラチェット歯２０，２１が噛み合い、ラチェット筒１９がラチェット歯２０から遠ざかる方向に移動すると、ラチェット歯２０，２１の噛み合いが外れるようになっている。
【００３０】
前記ラチェット筒１９には第一のカム軸２２ａの基端部が固定され、その第一のカム軸２２ａの先端部は前記第一のカム溝１８ａ内に突出している。そして、前記捩りコイルスプリング１７の摺動摩擦によりカム筒１５の回転が阻止されている状態で、ラチェット筒１９が回転されると、第一のカム軸２２ａが第一のカム溝１８ａに沿って移動するようになっている。
【００３１】
前記ラチェット筒１９には第二の駆動筒１４の軸方向に案内溝２３が形成されている。第二の駆動筒１４には第二のカム軸２２ｂの基端部が固定され、その第二のカム軸２２ｂの先端部は、カム筒１５の第二のカム溝１８ｂを貫通して案内溝２３内に突出されている。
【００３２】
従って、第二の駆動筒１４の回転は第二のカム軸２２ｂを介してカム筒１５に伝達されるとともに、カム筒１５は案内溝２３の範囲で軸方向に移動可能である。また、第二の駆動筒１４は、カム筒１５に対し第二のカム溝１８ｂの範囲内で空回りし、第二のカム軸２２ｂが第二のカム溝１８ｂの一端に当接すると、第二の駆動筒１４とカム筒１５が一体に回転するようになっている。
【００３３】
前記固定軸７の先端には、前記カム筒１５及び捩りコイルスプリング１７の抜けを防止するエンドキャップ２４が嵌着されている。
次に、上記のように構成されたロールブラインドの動作を説明する。操作コード５を下方へ引くと、第一及び第二の駆動筒１０，１４が回転され、捩りコイルスプリング１３が蓄勢される。
【００３４】
第二の駆動筒１４の回転により第二のカム軸２２ｂ及び案内溝２３を介してラチェット筒１９が回転される。このとき、カム筒１５は捩りコイルスプリング１７と固定軸７との摺動摩擦によりラチェット筒１９と一体には回動しない。
【００３５】
すると、第一のカム溝１８ａ内で第一のカム軸２２ａが移動し、ラチェット筒１９が図４に示す状態から矢印Ａ方向に移動して、図２に示すようにラチェット歯２０，２１が噛み合う。第二の駆動筒１４が回転を開始してからラチェット歯２０，２１が噛み合うまでの角度は４５度以内に設定されている。
【００３６】
ラチェット歯２０，２１が噛み合うと、第二の駆動筒１４の回転がラチェット筒１９を介して伝達筒９に伝達され、巻取軸３が回転される。そして、巻取軸３の回転に基づいてスクリーン４が巻戻される。
【００３７】
操作コード５を任意距離引き下げて、巻取軸３がスクリーン巻戻し方向に１８０度以上回転された後、同操作コード５の把持部分を上方へ持ち上げると、捩りコイルスプリング１３の付勢力により第一の駆動筒１０が逆方向に回転され、操作コード５がプーリー部１１に巻き取られる。
【００３８】
第一の駆動筒１０の回転とともに第二の駆動筒１４が逆回転されると、ラチェット筒１９が同方向に回転されると同時に、第一のカム軸２２ａと第一のカム溝１８ａとの作用により、ラチェット筒１９が図１に示す状態から矢印Ｂ方向に移動する。すると、ラチェット歯２０，２１の噛み合いが外れ、第二の駆動筒１４と伝達筒９とが切り離される。
【００３９】
このとき、巻取軸３内の駆動コイルスプリングの付勢力により巻取軸３はスクリーン巻取り方向に回転されようとするが、クラッチ装置６が作動してその回転が阻止される。
再度操作コード５を引き下げると、上記のような動作が繰り返され、スクリーン４が巻戻される。従って、操作コード５を繰り返し下方へ引き出すことにより、スクリーン４の下降操作が可能となる。このとき、操作コード５をプーリー部１１に巻き取る際に、クラッチ装置６を作動させてスクリーン４の巻上げを阻止するためには、操作コード５の一回の引き出し操作で回転される巻取軸３の回転角を１８０度以上とする必要がある。
【００４０】
スクリーン４を引き上げるときには、操作コード５を下方へ引いてラチェット歯２０，２１を噛み合わせ、巻取軸３を９０度未満回動させた後に、操作コード５を手放す。
すると、捩りコイルスプリング１３の付勢力により第一及び第二の駆動筒１０，１４が逆回転されて、ラチェット歯２０，２１の噛み合いが外れ、伝達筒９と第二の駆動筒１４が切り離される。
【００４１】
このとき、クラッチ装置６は巻取軸３の回転を阻止しない状態であるので、駆動コイルスプリングの付勢力により巻取軸３がスクリーン巻取り方向に回転される。従って、スクリーン４が上限まで引き上げられる。
【００４２】
上昇中のスクリーン４を停止させる場合には、操作コード５を下方へ引いて、ラチェット歯２０，２１を噛み合わせれば巻取軸３の回転が阻止され、さらに巻取軸３をスクリーン４の巻戻し方向に１８０度以上回転させて操作コード５を手放せば、クラッチ装置６が作動してスクリーン４の巻上げが阻止される。
【００４３】
また、上記のようなロールブラインドではプルコード２７を操作してスクリーン４の昇降操作を行うことができる。すなわち、クラッチ装置６が作動して、スクリーン４が任意の高さに吊下支持されている状態では、捩りコイルスプリング１３の付勢力による第二の駆動筒１４の逆転によりラチェット歯２０，２１の噛み合いは外れている。
【００４４】
この状態で、プルコード２７を操作してスクリーン４を下降させても、巻取軸３の回転は、ラチェット筒１９には伝達されない。従って、ラチェット機構及び第一及び第二の駆動筒１０，１４を動作させることなく、スクリーン４の下降操作が可能である。
【００４５】
そして、巻取軸３が１８０度以上回転された後にプルコード２７を手放せば、クラッチ装置６が作動してスクリーン４の引き上げが阻止されるので、スクリーン４を所望高さまで引き下げることができる。
【００４６】
また、プルコード２７を操作して巻取軸３の回転角が９０度未満である状態でプルコード２７を手放せば、駆動スプリングの付勢力により巻取軸３が回転されて、スクリーン４が引き上げられる。
【００４７】
上記のように構成されたロールブラインドの昇降装置では、次に示す作用効果を得ることができる。
（１）巻取軸３の一端側に一本の操作コード５のみが垂下され、その操作コード５の巻取軸３から垂下される長さは、スクリーン４の巻戻し量に関わらず、大きな変動はない。従って、美観上好ましい。
（２）一本の操作コード５を繰り返し下方へ引き出す操作を行うことにより、スクリーン４の下降操作を行うことができる。
（３）クラッチ装置６によりスクリーン４の引き上げが阻止されている状態から、操作コード５で巻取軸３をスクリーン巻戻し方向に１８０度未満で回転させて操作コード５を手放すことにより、スクリーン４を駆動スプリングの付勢力で自動的に引き上げることができる。
（４）同一の操作コード５を同一方向に操作することにより、スクリーン４の下降操作及び引き上げ操作を行うことができる。
（５）捩りコイルスプリング１３の付勢力により、下方へ引き出された操作コード５をプーリー部１１に自動的に巻き取ることができる。
（６）カム筒１５の第一及び第二のカム溝１８ａ，１８ｂと、第一及び第二のカム軸２２ａ，２２ｂの動作により、操作コード５を下方へ引いたとき、ラチェット歯２０，２１を自動的に噛み合わせて、巻取軸３をスクリーン巻上げ方向に回転させることができる。
（７）カム筒１５の第一及び第二のカム溝１８ａ，１８ｂと、第一及び第二のカム軸２２ａ，２２ｂの動作により、捩りコイルスプリング１３の付勢力で第二の駆動筒１４が逆回転されるとき、ラチェット歯２０，２１の噛み合いを自動的に解除することができる。
（８）プルコード２７の操作によっても、スクリーン４を昇降することができる。
（９）プルコード２７を操作してスクリーン４を昇降操作するとき、巻取軸３の回転は第一及び第二の駆動筒１０，１４に伝達されることはなく、操作コード５巻き取られたり巻戻されたりすることはない。
【００４８】
上記実施の形態は、以下の態様で実施してもよい。
・上記昇降装置をたくし上げカーテンやプリーツカーテンの昇降装置に使用することもできる。
・プルコード２７に代えて、ボトムレール２６に取手を取着したり、スクリーン４の下部に取手孔を設けてもよい。
【図面の簡単な説明】
【００４９】
【図１】ロールブラインドを示す正面図である。
【図２】スクリーン昇降装置を示す断面図である。
【図３】カム筒とラチェット筒の展開図である。
【図４】スクリーン昇降装置の動作を示す断面図である。
【符号の説明】
【００５０】
３…巻取軸、４…日射遮蔽材（スクリーン）、５…操作コード、４…スラット、７…固定軸、９…伝達筒、１０…第一の駆動筒、１３…付勢手段（捩りコイルスプリング）、１４…第二の駆動筒、１５…カム機構（カム筒）、１８ａ，１８ｂ…カム機構（第一及び第二のカム溝）、１９…ラチェット機構（ラチェット筒）、２０，２１ラチェット機構（ラチェット歯）、２２ａ，２２ｂ…カム機構（第一及び第二のカム溝）。
【図１】
2007046271.tif 000003
【図２】
2007046271.tif 000004
【図３】
2007046271.tif 000005
【図４】
2007046271.tif 000006